(57)【要約】      （修正有）【課題】十分な止水効果を維持しながら、地中において異径、異種の管体相互を容易且つ確実に接続できる継手を提供する。【解決手段】継手本体１の内周面に、一方の基端側管体Ｐ１に挿脱可能に装着したブッシング部材を介して当該基端側管体Ｐ１を係止可能とした係止突部１ａと、他方の電線保護用管体Ｐ２を接続する差込継手体のテーパ状の係止部１４を係止可能としたカットリング状の抜け止め部材４とを備える。ブッシング部材は、一端開口縁を外方に向けて略Ｕ字状に折り返して成るフランジ部２ａを備える。また、差込継手体は、後部で電線保護用管体Ｐ２を接続可能にし、差込方向前部のテーパ状の係止部１４によって、継手本体１内における抜け止め部材４を拡径して差込継手体自体を進入させ、進入後で縮径した抜け止め部材４に係止溝１５によって係止可能にする。【選択図】図８
0003151387.tif 000002
【実用新案登録請求の範囲】
【請求項１】
地中箱に設けられた接続基の一方の基端側管体に、各種電線を収納挿通させる他方の電線保護用管体を継手本体によって接続する異種管接続継手であって、該継手本体の内周面には、基端側管体に挿脱可能に装着されたブッシング部材を介して当該基端側管体を係止可能とした係止突部と、後部に電線保護用管体を接続する差込継手体の前部に形成してあるテーパ状の係止部を係止可能としたカットリング状の抜け止め部材とを有して成ることを特徴とする異種管接続継手。
【請求項２】
ブッシング部材は、前記係止突部に係止可能とするよう一端開口縁を外方に向けて略Ｕ字状に折り返して成るフランジ部を備えている請求項１記載の異種管接続継手。
【請求項３】
抜け止め部材は、カット部分が形成されたリング状で、継手本体の内周面にその周方向に沿って形成された収容溝部に内装されており、係止部の押し込み挿入によって外径方向に拡径可能とし、係止部の差込方向後方側に設けてある係止溝に縮径して係止可能にした請求項１または２記載の異種管接続継手。
【請求項４】
継手本体の内側に挿入された接続対象となる両管体の間に形成されている隙間にパッキング部材を配して成る請求項１乃至３のいずれか記載の異種管接続継手。
【請求項５】
継手本体は、前記抜け止め部材が内設されている部位の外周面に操作窓部を有し、該操作窓部に抜け止め部材のカット部分を露出配置させて成る請求項１乃至４のいずれか記載の異種管接続継手。
【請求項６】
地中箱に設けられた接続基の一方の基端側管体に、各種電線を収納挿通させる他方の電線保護用管体を継手本体によって接続する異種管接続継手であって、該継手本体の内周面には、基端側管体に挿脱可能に装着されたブッシング部材を介して当該基端側管体を係止可能とした係止突部と、後部に電線保護用管体を接続する差込継手体の前部に形成してあるテーパ状の係止部を係止可能としたカットリング状の抜け止め部材とを有し、ブッシング部材は、前記係止突部に係止可能とするよう一端開口縁を外方に向けて略Ｕ字状に折り返して成るフランジ部を備え、抜け止め部材は、カット部分が形成されたリング状で、継手本体の内周面にその周方向に沿って形成された収容溝部に内装されており、係止部の押し込み挿入によって外径方向に拡径可能とし、係止部の差込方向後方側に設けてある係止溝に縮径して係止可能にすると共に、継手本体の内側に挿入された接続対象となる両管体の間に形成されている隙間に配されるパッキング部材と、前記抜け止め部材が内設されている部位の継手本体の外周面に設けられ、抜け止め部材のカット部分を露出させる操作窓部とを有して成ることを特徴とする異種管接続継手。
【考案の詳細な説明】
【技術分野】
【０００１】
本考案は、例えばハンドホール・マンホール等の地中箱等の側壁部に対して垂直に設けられた接続基の基端側管体に管径・種別の異なる電線保護用管体を接続したり、互いに異径・異種等である電線保護用管体同士を接続したりする異種管接続継手に係り、具体的には一方の基端側管体に対し、端部にテーパ状の係止部を備えている差込継手体を介して他方の電線保護用管体の接続を可能にした異種管接続継手に関する。
【背景技術】
【０００２】
従来、この種の異種管接続継手としては、例えば特許文献１に開示されているように、接続作業が簡単で、十分な止水性を備えるとする管体接続継手が存在する。すなわち、この管体接続継手は、電線保護用管体の端部に取付けられる差込継手と、該差込継手を差し込むために基端側管体と一体となって形成された受け継手とを有している。そして、該受け継手の内周面には、差込継手が差し込まれたときに抜け止めする抜け止め部材が取付けられ、差込継手の外周面であって受け継手内に収まる部位には抜け止め部材が係止する係止溝が設けられると共に、水分の吸収により膨張する不織布が設けられている。尚、この不織布は、差込継手の外周面における係止溝よりも差込方向後方側に接着剤等による接着や一体成形により一体化されており、水分を吸収して膨張することで受け継手の内周面と差込継手の外周面とを塞いで止水効果が得られるようにしてある。
【先行技術文献】
【特許文献】
【０００３】
【特許文献１】特開２００８−１４４５６号公報
【考案の概要】
【考案が解決しようとする課題】
【０００４】
しかしながら、この従来の管体接続継手においては、差込継手を差し込むための受け継手部分が基端側管体と一体となっているため、基端側管体自体の一体的な製作が面倒である等の多くの費用が掛かってしまう。
【０００５】
また、受け継手の内周面と差込継手の外周面との間に、水膨張する不織布が設けられていることで止水でき、少しくらいの管径の相違があっても十分に止水状態で接続できるが、受け継手に差込継手を差し込んだ際に、受け継手内側において差込継手の先端部分に若干の隙間が生じる場合があり、この隙間によって差込継手が挿入方向にガタ付いてしまうと同時に十分な止水効果が得られなくなる虞があった。
【０００６】
そこで、本考案は叙上のような従来存した諸事情に鑑み創案されたもので、接続基である基端側管体と、例えば異径、異種等である電線保護用管体との接続において、ブッシング部材が装着される基端側管体側の係止と、電線保護用管体を接続する差込継手体の係止とが各別に行われることで、基端側管体自体の一体的な製作を不要とし、しかも十分な止水効果を維持させながら両管体を容易且つ確実に接続できる異種管接続継手を提供することを目的とする。
【課題を解決するための手段】
【０００７】
上述した課題を解決するために、本考案にあっては、地中箱に設けられた接続基の一方の基端側管体Ｐ１に、各種電線を収納挿通させる他方の電線保護用管体Ｐ２を継手本体１によって接続する異種管接続継手であって、該継手本体１の内周面には、基端側管体Ｐ１に挿脱可能に装着されたブッシング部材２を介して当該基端側管体Ｐ１を係止可能とした係止突部１ａと、後部に電線保護用管体Ｐ２を接続する差込継手体１１の前部に形成してあるテーパ状の係止部１４を係止可能としたカットリング状の抜け止め部材４とを有して成るものである。
ブッシング部材２は、前記係止突部１ａに係止可能とするよう一端開口縁を外方に向けて略Ｕ字状に折り返して成るフランジ部２ａを備えたものとできる。
抜け止め部材４は、カット部分４ａが形成されたリング状で、継手本体１の内周面にその周方向に沿って形成された収容溝部３に内装されており、係止部１４の押し込み挿入によって外径方向に拡径可能とし、係止部１４の差込方向後方側に設けてある係止溝１５に縮径して係止可能にするものとできる。
継手本体１の内側に挿入された接続対象となる両管体Ｐ１，Ｐ２の間に形成されている隙間にパッキング部材６を配して成るものとすることができる。
継手本体１は、前記抜け止め部材４が内設されている部位の外周面に操作窓部７を有し、該操作窓部７に抜け止め部材４のカット部分４ａを露出配置させて成るものとすることができる。
【０００８】
以上のように構成された本考案に係る異種管接続継手にあって、継手本体１は、一方の基端側管体Ｐ１を挿入した後に、当該基端側管体Ｐ１に取り付けられたブッシング部材２のフランジ部２ａが、当該継手本体１の内周面に形成されている係止突部１ａに係止されることによって抜け止めされた状態となって挿入配置される。
継手本体１の内周面の収容溝部３に設けられたカットリング状の抜け止め部材４は、他方の電線保護用管体Ｐ２を接続する差込継手体１１のテーパ状の係止部１４が差し込まれたときに外径方向に押し広げられることで差込継手体１１を進入させ、進入後には差込継手体１１の外周面に設けた係止溝１５側に縮径して係合させる。
パッキング部材６は、継手本体１の内側に挿入された接続対象となる両管体Ｐ１，Ｐ２の間に形成されている隙間に配され、該パッキング部材６を介して両管体Ｐ１，Ｐ２を水密状に固定させる。
継手本体１に抜け止め部材４が内設されている部位の外周面に形成された操作窓部７は、該操作窓部７を介して抜け止め部材４のカット部分４ａを例えばペンチ等の拡開用工具Ｒを使って押し広げることで、当該抜け止め部材４によって係止されている係止部１４を解放し、差込継手体１１、更には電線保護用管体Ｐ２を抜脱させる。
【考案の効果】
【０００９】
本考案によれば、接続基である一方の基端側管体Ｐ１と、この基端側管体Ｐ１に接続されるべき他方の電線保護用管体Ｐ２とを、基端側管体Ｐ１はこれに装着したブッシング部材２をフランジ係止して、また電線保護用管体Ｐ２はこれを接続する差込継手体１１を差し込み係止して、これらを前後で係止する継手本体１によって簡単に接続できる。しかも、基端側管体Ｐ１側の係止と、差込継手体１１の係止とが各別に行われることで、基端側管体Ｐ１との一体的製作を不要とし、しかも十分な止水効果を維持させながら両管体Ｐ１，Ｐ２を容易に且つ確実に接続できる。
【００１０】
すなわち、これは本考案が、継手本体１の内周面には、基端側管体Ｐ１に挿脱可能に装着されたブッシング部材２を介して当該基端側管体Ｐ１を係止可能とした係止突部１ａと、後部に電線保護用管体Ｐ２を接続する差込継手体１１の前部に形成してあるテーパ状の係止部１４を係止可能としたカットリング状の抜け止め部材４とを有して成るからであり、これにより、継手本体１を介して、互いに異径であったり、種別が異なったりする両管体Ｐ１，Ｐ２同士の接続が可能となる。
【００１１】
ブッシング部材２は、前記係止突部１ａに係止可能とするよう一端開口縁を外方に向けて略Ｕ字状に折り返して成るフランジ部２ａを備えたので、基端側管体Ｐ１に対し、継手本体１を抜け止め可能となるように容易且つ確実に装着させることができる。
【００１２】
抜け止め部材４は、カット部分４ａが形成されたリング状で、継手本体１の内周面にその周方向に沿って形成された収容溝部３に内装されており、係止部１４の押し込み挿入によって外径方向に拡径可能とし、係止部１４の差込方向後方側に設けてある係止溝１５に縮径して係止可能にしたので、電線保護用管体Ｐ２を接続する差込継手体１１のテーパ状の係止部１４が差し込まれたときに外径方向に押し広げられて、差込継手体１１自体を進入させ、進入後には差込継手体１１の外周面に設けられた係止溝１５側に縮径して差込継手体１４自体を係止させるから、電線保護用管体Ｐ２を十分な止水効果を維持させながら容易且つ確実に接続できる。
【００１３】
継手本体１の内側に挿入された接続対象となる両管体Ｐ１，Ｐ２の間に形成されている隙間にパッキング部材６を配して成るので、パッキング部材６を介して両管体Ｐ１，Ｐ２を水密状にしっかりと固定させることができ、しかも継手本体１に対する両管体Ｐ１，Ｐ２の前後方向へのガタ付きも解消される。
【００１４】
継手本体１は、前記抜け止め部材４が内設されている部位の外周面に操作窓部７を有し、該操作窓部７に抜け止め部材４のカット部分４ａを露出配置させて成るようにすることで、該操作窓部７を介して抜け止め部材４のカット部分４ａを例えばペンチ等の拡開用工具Ｒを使って押し広げることができる。これによって、当該抜け止め部材４によって係止されている差込継手体１１、ひいては電線保護用管体Ｐ２を容易に抜脱させることができ、しかも外径の異なる種々の差込継手体１１に対しても十分に対応できるものとなる。
【００１５】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１６】
【図１】本考案を実施するための一形態における異種管接続継手の一例を示す分解斜視図である。
【図２】同じく組み立て状態の斜視図である。
【図３】同じく抜け止め部材の一例を示す斜視図である。
【図４】同じく基端側管体に継手本体を装着する状態の半断面側面図である。
【図５】同じく基端側管体にブッシング部材を装着する状態の半断面側面図である。
【図６】同じく基端側管体に装着されている継手本体をスライドさせてブッシング部材に係止させる状態の半断面側面図である。
【図７】同じく基端側管体に装着されている継手本体に、接続相手側の電線保護用管体を接続する差込継手体が差し込まれる状態の半断面側面図である。
【図８】同じく組み立て後の状態の半断面側面図である。
【図９】図８における円線で囲まれた部分の拡大断面図である。
【考案を実施するための形態】
【００１７】
以下、図面を参照して本考案の実施の形態を詳細に説明すると、図において示される符号１は、本考案に係る異種管接続継手を構成する例えば金属製または合成樹脂製等による継手本体である。該継手本体１は、図１、図２、図８に示すように、例えばハンドホール・マンホール等の地中箱の側壁部に形成された複数の貫通孔（図示せず）それぞれに対して例えば垂直に設けられた接続基となる一方の基端側管体Ｐ１に、例えば各種電線を収納挿通させるよう管径、種別等が異なる電線保護用管体Ｐ２を、既製の差込継手体１１を介する等して、接続対象である両管体Ｐ１，Ｐ２を共に挿入状態で係止可能とするものである。
【００１８】
尚、これら両管体Ｐ１，Ｐ２は、螺旋状の凹凸が外周面と内周面とに形成された合成樹脂製あるいは金属製の螺旋波付き管によって形成され、その内面側は外周面の螺旋波形状に対応した螺旋溝条のねじ部となっている。
【００１９】
また、接続基となる基端側管体Ｐ１には、その開口端部に、図１、および図５乃至図８に示すように、ベルマウスと称される円筒状のブッシング部材２が、内周の螺旋溝条のねじ部によって挿脱可能となって装着されている。そのため、このブッシング部材２の長さ方向には、両管体Ｐ内側の螺旋溝条のねじ部にねじ込ませて挿入させるための外方傾斜状の突片部２ｂが形成されている。
【００２０】
また、ブッシング部材２の一端側開口周縁は、断面略Ｕ字状に折り返して成るフランジ部２ａを備えており、継手本体１の一端開口側内周面にその周方向に沿って形成されている後述の係止突部１ａにこのフランジ部２ａが係止することで、継手本体１の抜け止めが可能となるようにしてある。さらに、フランジ部２ａのＵ字状部分の内側には、必要があれば例えば水分を吸収して膨張する不織布８が付設され、基端側管体Ｐ１の開口先端部がこのＵ字状部分の内側に当接されている。
【００２１】
図４乃至図８に示すように、継手本体１は円筒状に形成され、一端開口部の内周面には、ブッシング部材２のフランジ部２ａを係止するための環状の係止突部１ａが形成されている。また、他端開口部には、接続相手側の電線保護用管体Ｐ２が接続される差込継手体１１を差し込んだときの安定した差込状態が得られるように適宜長さの円筒面部１ｂが形成されている。
【００２２】
この差込継手体１１は、図１、図７に示すように、基本的には円筒状に形成されており、長さ方向の前部側が継手本体１に対して差し込まれる差込部１２となっており、後部側が接続相手側の電線保護用管体Ｐ２の端部をねじ込ませて接続する結合部１３となっている。差込部１２は、先端側外周面にテーパ状の係止部１４を有し、この係止部１４の差込方向後方側に、継手本体１の抜け止め部材４が係止する係止溝１５を同じく外周面に設けてある。そして、必要に応じ、差込部１２外周面、結合部１３内周面に、水分を吸収して膨張する不織布が接着剤等による接着や一体成形等によって設けられている。
【００２３】
尚、接続相手側の電線保護用管体Ｐ２を接続する差込継手体１１を継手本体１に挿入することによって両管体Ｐ１，Ｐ２同士を接続する替わりに、図示を省略したが、接続相手側の電線保護用管体Ｐ２自体の端部にテーパ状の係止部１４を一体形成しておき、この係止部１４を継手本体１に挿入することによって両管体Ｐ１，Ｐ２を接続するようにしても良い。
【００２４】
また、図９に示すように、継手本体１の円筒面部１ｂの長さ方向の略中間部には、当該円筒面部１ｂよりも大径環状の収容溝部３が周方向に沿って形成されている。そして、この収容溝部３には、差込継手体１１の押し込み挿入によって外径方向に拡径可能とした可撓性を有する合成樹脂から成るカットリング状の抜け止め部材４を装着してあり、差込継手体１１における係止部１４の後方側にある係止溝１５に、押し込み挿入後の縮径した抜け止め部材４を係合させるようにしている。
【００２５】
抜け止め部材４は、図３に示すように、リング形の一部を欠損することで径方向に拡縮自在になるようにカット部分４ａを形成してあり、前記収容溝部３に装入する時に縮径できる構造となっている。また、抜け止め部材４の内周面には、図９に示すように、前面側に垂直係止面、後面側に円弧状導入面が形成された係止突起５が形成されている。
【００２６】
そして、継手本体１内の抜け止め部材４にあって、接続相手側の電線保護用管体Ｐ２を接続する差込継手体１１が差し込まれるとその係止部１４先端により係止突起５の円弧状導入面が外周方向に押圧されることによって抜け止め部材４が拡径し、差込継手体１１の進入を許容する。また、差込継手体１１が所定位置まで進入すると抜け止め部材４が縮径して係止溝１５に係合し、抜け止めが図れるものとなっている。
【００２７】
継手本体１の内側に、接続対象となる両管体Ｐ１，Ｐ２がブッシング部材２、差込継手体１１を介して挿入され互いに係止されているときには、両管体Ｐ１，Ｐ２の間、基端側管体Ｐ１と差込継手体１１との間等に若干の隙間が形成されることがある。そこで、この隙間を水密状に塞ぐようにリング状のパッキング部材６が介在、配されるものとしている。すなわち図示のように、パッキング部材６は、差込継手体１１を差し込むことで、ブッシング部材２のフランジ部２ａ背面側に当該パッキング部材６が圧接させられ、水密状態に封止される。これによって、外部から継手本体１の円筒面部１ｂ等を通じて両管体Ｐ１，Ｐ２内部等に水が浸入するのを防いでいる。尚、図中符号９は、ブッシング部材２を差込継手体１１との間に介在されるパッキン兼用の止水材である。
【００２８】
また、図３に示すように、前記抜け止め部材４が内装されている部位の継手本体１外周面には、必要に応じて、長孔状の操作窓部７を開口形成することができ、該操作窓部７に抜け止め部材４のカット部分４ａを露出配置させるものとしても良い。これにより、差込継手体１１更には接続相手側の電線保護用管体Ｐ２を、継手本体１から引き抜く必要がある場合には、図３に示すように、先の曲がったペンチ等の拡開用工具Ｒで操作窓部７を通じて抜け止め部材４のカット部分４ａを強制的に押し広げることで、抜け止め部材４が拡径され、これにより差込継手体１１に対する係止が外れて抜脱されるものとしてある。
【００２９】
次に、以上のように構成された実施の形態においての使用の一例について説明する。先ず、図４に示すように、接続基となる基端側管体Ｐ１に継手本体１を装着して、一旦はその後方側に位置させておき、次に図５に示すように、基端側管体Ｐ１の開口端内にブッシング部材２をねじ込む。このとき、ブッシング部材２は、これの外方傾斜状の突片部２ｂによって管体Ｐ内側の螺旋溝条のねじ部にねじ込み導入され、また、フランジ部２ａのＵ字状部分の内側にある不織布８が基端側管体Ｐ１の開口先端部に当接される。
【００３０】
そして、図６に示すように、継手本体１を基端側管体Ｐ１に沿ってその開口端側にスライドさせてブッシング部材２のフランジ部２ａに継手本体１内部の係止突部１ａを係止させ、継手本体１の円筒面部１ｂを基端側管体Ｐ１前方に突出させる。これと同時に継手本体１内においてブッシング部材２のフランジ部２ａ側にパッキング部材６を必要に応じて挿入配置しておく。
【００３１】
一方、接続相手側の電線保護用管体Ｐ２の開口端部を差込継手体１１の結合部１３にねじ込んでおき、図７に示すように、この状態の差込継手体１１を継手本体１の円筒面部１ｂ内に差し込む。差し込むことで図８および図９に示すように、差込継手体１１の差込部１２は、これの係止部１４と抜け止め部材４の係止突起５との圧接により当該抜け止め部材４を押し広げて進入し、係止溝１５が抜け止め部材４の位置に達したとき、抜け止め部材４は縮径して、差込部１２後方側の係止溝１５に係合する。これと同時に、差込部１２先端とブッシング部材２のフランジ部２ａ側とによってパッキング部材６が挟持圧接させられ、当該差込部１２先端とフランジ部２ａとの間の隙間を水密状態に封止する。
【００３２】
このようにして、一方の基端側管体Ｐ１は、これに装着したブッシング部材２によって継手本体１内の係止突部ｌａに、また他方の電線保護用管体Ｐ２は、これを接続する差込継手体１１によって同様に継手本体１の抜け止め部材４にそれぞれ係止されることで、継手本体１を介して相互に接続される。
【００３３】
また、差込継手体１１更には電線保護用管体Ｐ２を、継手本体１から引き抜く必要がある場合には、図３に示すように、先の曲がったペンチ等の拡開用工具Ｒで操作窓部７を通じて抜け止め部材４のカット部分４ａを強制的に押し広げば良く、これにより抜け止め部材４が拡径され、差込継手体１１に対する係止が外れて抜脱される。
【符号の説明】
【００３４】
Ｐ１…基端側管体                        Ｐ２…電線保護用管体
Ｒ…拡開用工具
１…継手本体                            １ａ…係止突部
１ｂ…円筒面部                          ２…ブッシング部材
２ａ…フランジ部                        ２ｂ…突片部
３…収容溝部                            ４…抜け止め部材
４ａ…カット部分                        ５…係止突起
６…パッキング部材                      ７…操作窓部
８…不織布
１１…差込継手体                        １２…差込部
１３…結合部                            １４…係止部
１５…係止溝
【図１】
0003151387.tif 000003
【図２】
0003151387.tif 000004
【図３】
0003151387.tif 000005
【図４】
0003151387.tif 000006
【図５】
0003151387.tif 000007
【図６】
0003151387.tif 000008
【図７】
0003151387.tif 000009
【図８】
0003151387.tif 000010
【図９】
0003151387.tif 000011